(57)【要約】【課題】外装不織布シートと親和感を与えるターゲット部を有するテープタイプ使い捨ておむつを提供する。【解決手段】ターゲット部６は不織布シートを有し、ターゲット部６は、不織布６０を下地として少なくとも外面にパイルループ繊維糸６１ａを編み出した複合体６２であり、このターゲット部６が腹側部分Ｆの外側を形成する外装不織布シート１２に固定されている。前記不織布６０の一方向に配向した繊維配向方向を径方向とし、複合体６２の外面において径方向に膨らむパイルループを構成した。【選択図】図１２
2018143580.tif 000002
【特許請求の範囲】
【請求項１】
前後方向中央から前側に延在する腹側部分と、後側に延在する背側部分と、背側部分から側外方に延びるファスニングテープと、腹側部分の外面に設けられたターゲット部を有し、
身体への装着に際して、ファスニングテープを左右両側から腹側に回してターゲット部に着脱自在に連結する、面ファスナーを有するテープタイプ使い捨ておむつにおいて、
前記ターゲット部の形成領域又はこのターゲット部の形成領域を含むより広い領域に不織布シートを有し、
前記ターゲット部は、少なくとも前記不織布シートを含む下地シートとされ、少なくとも外面にパイルループ繊維糸を編み出した複合体であり、
前記不織布の一方向に配向した繊維配向方向を径方向とし、前記外面において径方向に膨らむパイルループを構成した
ことを特徴とするテープタイプ使い捨ておむつ。
【請求項２】
前記径方向と直交する方向を緯方向とし、この緯方向にチェーンステッチを形成し、前記パイルループ繊維糸は前記チェーンステッチに固定されている請求項１記載のテープタイプ使い捨ておむつ。
【請求項３】
前記パイルループは、前記チェーンステッチ条の位置の左右に交互に形成されている請求項１又は２記載のテープタイプ使い捨ておむつ。
【請求項４】
前記外面において、径方向に膨らむ第１のパイルループのほか、別のパイルループ繊維糸による前記径方向と直交する緯方向に膨らむ第２のパイルループが構成されている請求項１又は２記載のテープタイプ使い捨ておむつ。
【請求項５】
前記パイルループ繊維糸の固定位置が、前記径方向と直交する緯方向に沿って、前記チェーンステッチの径方向に異なる条間に交互に跨がっている請求項１記載のテープタイプ使い捨ておむつ。
【請求項６】
前記ターゲット部が前記腹側部分の外側を形成する外装不織布シートに固定されている請求項１記載のテープタイプ使い捨ておむつ。
【請求項７】
前記複合体は、その裏面側においてホットメルト接着剤により前記外装不織布シートに固定されている請求項６記載のテープタイプ使い捨ておむつ。
【請求項８】
前記径方向と直交する方向を緯方向とし、この緯方向にチェーンステッチを形成し、前記パイルループ繊維糸は前記チェーンステッチに固定されており、
前記不織布複合体は前記不織布シートにホットメルト接着剤により前記外装不織布シートに固定されており、
ホットメルト接着剤による前記外装不織布シートとの固定領域は、
（１）前記チェーンステッチに沿い、かつ隣接するチェーンステッチ間は、固定領域が存在しない、
（２）前記チェーンステッチに沿う領域のホットメルト接着剤量が多く、かつ隣接するチェーンステッチ間の領域のホットメルト接着剤量が少ない、請求項６記載のテープタイプ使い捨ておむつ。
【請求項９】
前記不織布複合体は、その裏面側全体において、ホットメルト接着剤により前記外装不織布シートに固定されている請求項６記載のテープタイプ使い捨ておむつ。
【請求項１０】
前記外装不織布シートは、前記ターゲット部の形成領域を含む腹側部分から背側部分に亘る、より広い領域に配置され、前記不織布複合体は、その裏面側においてホットメルト接着剤により前記外装不織布シートに固定されている請求項６記載のテープタイプ使い捨ておむつ。
【請求項１１】
前記複合体は、不織布下地の少なくとも裏面側に縫い出されたパイル繊維糸が、前記外装不織布シートに熱融着状態で固定されている請求項１記載のテープタイプ使い捨ておむつ。
【請求項１２】
前記下地シートは、外面側がティシュペーパーであり、裏面側が不織布シートである請求項１記載のテープタイプ使い捨ておむつ。
【請求項１３】
前記下地シートは、裏面側不織布と外面側不織布との間にティシュペーパーを介在させた積層シートである請求項１記載のテープタイプ使い捨ておむつ。
【発明の詳細な説明】
【技術分野】
【０００１】
本発明は、テープタイプ使い捨ておむつに関する。
【背景技術】
【０００２】
一般的なテープタイプ使い捨ておむつは、前後方向中央から前側に延在する腹側部分と、後側に延在する背側部分と、背側部分の両側部から突出するファスニングテープと、腹側部分の外面に設けられたテープ状のターゲット部とを有し、身体への装着に際して、ファスニングテープを左右両側から腹側に回してターゲット部外面に着脱自在に連結する構造を有している（例えば特許文献１、２参照）。
【０００３】
このようなテープタイプ使い捨ておむつは、乳幼児向けとして用いられる他、介護用途（成人用途）で広く使用されており、ターゲット部外面におけるファスニングテープの連結位置を適宜調整することにより、ウエスト周りの寸法を調整できるという利点を有している。
【０００４】
また、ファスニングテープとしては、大別して、粘着テープタイプのもののほか、面ファスナーにより結合するいわゆるメカニカルファスナータイプのものもある。
後者のメカニカルファスナータイプにおけるターゲット部としては、一般的には、繊維糸をループを形成しながら線状に、基材となるプラスチックフィルム上に接合したものである。
【０００５】
近年の使い捨ておむつにおける外装体としては、不織布シートを使用するのが一般的である。その結果、その外装シートは不織布で、ターゲット部はプラスチックフィルムを基材とする点から、製品の外面の手触り感が大きく異なるので、製品全体に対してターゲット部の存在が消費者に違和感を与えてしまう。
【先行技術文献】
【特許文献】
【０００６】
【特許文献１】特許第５６８３９８２号公報
【特許文献２】特表２０００−５０６４２７号公報
【発明の概要】
【発明が解決しようとする課題】
【０００７】
そこで本発明の主たる課題は、外装不織布シートと親和感を与えるターゲット部を有するテープタイプ使い捨ておむつを提供することにある。
【課題を解決するための手段】
【０００８】
上記課題を解決した本発明は、
前後方向中央から前側に延在する腹側部分と、後側に延在する背側部分と、背側部分から側外方に延びるファスニングテープと、腹側部分の外面に設けられたターゲット部を有し、
身体への装着に際して、ファスニングテープを左右両側から腹側に回してターゲット部に着脱自在に連結する、面ファスナーを有するテープタイプ使い捨ておむつにおいて、
前記ターゲット部の形成領域又はこのターゲット部の形成領域を含むより広い領域に不織布シートを有し、
前記ターゲット部は、少なくとも前記不織布シートを含む下地シートとされ、少なくとも外面にパイルループ繊維糸を編み出した複合体であり、
前記不織布シートの一方向に配向した繊維配向方向を径方向とし、前記外面において径方向に膨らむパイルループを構成した
ことを特徴とするテープタイプ使い捨ておむつを提供するものである。
【０００９】
本発明では、ターゲット部として、少なくとも不織布シートを含む下地シートとされ、少なくとも外面にパイルループ繊維糸を編み出した複合体を使用する。その結果、従来のプラスチックフィルムを基材としこれにパイルループ繊維糸を一体化するものと異なり、基材がプラスチックフィルムではないから、違和感のない又は少ないものとなる。
この場合、好適には、下地シートの全体が不織布シートとする。その結果、ターゲット部として布様な外観となり、不織布の外装シートとの親和性が高いものとなる。この親和性のある外観は製品の高級感を与えるものとなる。
【００１０】
不織布には、その製造プロセスの関係で、一方向に繊維配向するのが一般的である。
この不織布について、繊維配向方向を径方向、これと直交する方向を緯方向として称呼して説明することとする。下地不織布シート外面において、緯方向に膨らむパイルループを構成する場合には、（メカニカル）面ファスナーのフックがパイルループと係合する。その後、例えば再結合のためにフック側を剥離しようとすると、その剥離力がパイルループを介して下地不織布シートに伝わり、下地不織布シートがその繊維配向方向である径方向に沿って破断するおそれがある。
【００１１】
これに対して、本発明においては、下地不織布外面において、径方向に膨らむパイルループを構成（形成）したものであるから、再結合のためにフック側を剥離しようとする剥離力がパイルループを介して下地不織布に伝わるとき、すなわち、繊維配向方向である径方向（すなわち繊維配向方向と直交する方向）に剥離力が作用しても、剥離力の作用方向は繊維配向方向と直交する方向であるから、下地不織布は破断し難い又は破断しないものとなる。
【００１２】
前記径方向と直交する方向を緯方向とし、この緯方向にチェーンステッチを形成し、前記パイルループ繊維糸は前記チェーンステッチに固定されている態様が提供される。
【００１３】
パイルループは、前記チェーンステッチ条の位置の左右に交互に形成されている態様が提供される。この態様では、パイルループがすべて同じ方向に膨らむ場合に比較してフックとの絡みが強くなる利点がある。
【００１４】
不織布外面において、径方向に膨らむ第１のパイルループのほか、別のパイルループ繊維糸による緯方向に膨らむ第２のパイルループが構成されていてもよい。この場合、フックとの絡みが強くなる傾向がある。
【００１５】
パイルループ繊維糸の固定位置が、径方向と直交する緯方向に沿って、チェーンステッチの径方向に異なる条間に交互に跨がっている構成とすることができる。
この態様によれば、下地不織布の破断を防止する効果が高い。
【００１６】
前記ターゲット部が前記腹側部分の外側を形成する外装不織布シートに固定されている態様であると、ターゲット部と外装不織布シートとの親和性が顕在化する。
【００１７】
前記複合体は、その裏面側においてホットメルト接着剤により前記外装不織布シートに固定することができる。
【００１８】
前記径方向と直交する方向を緯方向とし、この緯方向にチェーンステッチを形成し、前記パイルループ繊維糸は前記チェーンステッチに固定されており、
前記不織布複合体は前記不織布シートにホットメルト接着剤により前記外装不織布シートに固定されており、
ホットメルト接着剤による前記外装不織布シートとの固定領域は、
（１）前記チェーンステッチに沿い、かつ隣接するチェーンステッチ間は、固定領域が存在しない、
（２）前記チェーンステッチに沿う領域のホットメルト接着剤量が多く、かつ隣接するチェーンステッチ間の領域のホットメルト接着剤量が少ない、態様が提供される。
【００１９】
かかる部分的な固定領域とする形態においては、ホットメルト接着剤による固定領域又は塗布量が多い領域以外において通気性を示すので、ターゲット部の裏面側の通気性を示す外装不織布シートと相俟って、全体として通気性を示す製品を得ることができる。
また、径糸群の隣接する径糸のチェーンステッチをホットメルト接着剤による固定領域としているから、径糸のチェーンステッチのパイル繊維糸が下地を構成する不織布シートからの抜け止めを図ることの利点も併せて得ることができる。
【００２０】
前記不織布複合体は、その裏面側全体において、ホットメルト接着剤により前記外装不織布シートに固定されていてもよい。
【００２１】
前記外装不織布シートは、前記ターゲット部の形成領域を含む腹側部分から背側部分に亘る、より広い領域に配置され、前記不織布複合体は、その裏面側においてホットメルト接着剤により前記外装不織布シートに固定されている態様が提供される。
【００２２】
前記複合体は、不織布下地の少なくとも裏面側に縫い出されたパイル繊維糸が、前記外装不織布シートに熱融着状態で固定されていてもよい。
【００２３】
前記下地シートは、外面側がティシュペーパーであり、裏面側が不織布シートである複合体により構成できる。
製造工程を考えた場合、前記複合体はバキュームをきかせながら外装不織布シートに貼り付ける形態を取ることが好ましい。しかし、不織布シートは通気性が高いので、バキュームをきかせながら外装不織布シートに貼り付ける形態を取りにくい。そこで、ティシュペーパーとの複合体である場合には、ティシュペーパーが通気性を低下させる結果、バキュームをきかせながら外装不織布シートに貼り付ける形態を取り易い。他方で、ティシュペーパーが外装不織布シート側にある場合には、ホットメルト接着剤を使用して貼り付けても接着強度が十分でない。したがって、外装不織布シート１２側には不織布シート６０が、外面側がティシュペーパー６７であるのが望ましいのである（図２２参照）。
かかる下地シートは、なお通気性を示すとともに、プラスチックフィルムのような違和感を与えず、柔軟なシートであり、親和感を与えるものとなる。
【００２４】
前記下地シートは、裏面側不織布と外面側不織布との間にティシュペーパーを介在させた積層シートとすることができる。
前欄で説明したように、外面側がティシュペーパーであると、ティシュペーパー５７が製造過程や使用段階で他の物又は手によって擦れて部分的な破れや剥がれが生じる懸念がある。
そこで、裏面側の第１の不織布と外面側の第２の不織布との間にティシュペーパーを介装した形態は好適である。この形態においては、第２の不織布がティシュペーパーを被覆しているので、前記問題は生じないとともに、第２の不織布が外装シートと不織布として同じであるので、違和感を与えず、柔軟なシートであり、親和感を与えるものとなる。また、ティシュペーパーの存在が通気性を低下させる結果、バキュームをきかせながら外装不織布シートに貼り付ける形態を取り易い利点が維持される。
【発明の効果】
【００２５】
以上のとおり、本発明によれば、外装不織布シートと親和感を与えるターゲット部を有するテープタイプ使い捨ておむつを提供することができる。
【図面の簡単な説明】
【００２６】
【図１】テープタイプ使い捨ておむつの展開状態の内面側を示す平面図である。
【図２】テープタイプ使い捨ておむつの展開状態の外面側を示す平面図である。
【図３】図１のiii-iii断面図である。
【図４】図１のiv-iv断面図である。
【図５】図１のii-ii断面図である。
【図６】テープタイプ使い捨ておむつの装着状態を概略的に示す斜視図である。
【図７】テープタイプ使い捨ておむつの装着状態を概略的に示す斜視図である。
【図８】複合体の外面側の説明用概念図である。
【図９】複合体の裏面側の説明用概念図である。
【図１０】複合体例の外面側の説明用概念図である。
【図１１】比較例の複合体例の外面側の説明用概念図である。
【図１２】比較例の複合体例の外面側を見た写真である。
【図１３】裏面側を見た写真である。
【図１４】ホットメルト接着剤による複合体接合例の説明図であり、（ａ）は緯方向断面の概要図、（ｂ）は径方向断面の概要図である。
【図１５】熱融着部を有する複合体例の断面図である。
【図１６】編み機で編成する際のガイドバーの駆動を部分的かつ概略的に示すポイントダイヤグラムである。
【図１７】他の複合体例の外面側の説明用概念図である。
【図１８】編み機で編成する際のガイドバーの駆動を部分的かつ概略的に示す他のポイントダイヤグラムである。
【図１９】その分解図である。
【図２０】別の複合体例の外面側の説明用概念図である。
【図２１】さらに異なる複合体例の外面側の説明用概念図である。
【図２２】不織布とティシュペーパーと積層した複合体例の断面図である。
【図２３】不織布とティシュペーパーと積層した他の複合体例の断面図である。
【発明を実施するための形態】
【００２７】
以下、本発明の一実施形態について、添付図面を参照しつつ詳説する。
まず、使い捨ておむつの構造例を説明し、その後に本発明の形態例について説明する。
なお、ホットメルト接着剤等の接合手段及びそれによる接合箇所のうち説明上必要と認めた箇所については、図中に網点模様を付して表現している。
【００２８】
図１〜図６は、テープタイプ使い捨ておむつの一例を示している。このテープタイプ使い捨ておむつは、液不透過性シート１の内面と、透液性トップシート２との間に、吸収体３が介在された基本構造を有している。
【００２９】
（吸収体）
吸収体３としては、パルプ繊維の積繊体、セルロースアセテート等のフィラメントの集合体、あるいは不織布を基本とし、必要に応じて高吸収性ポリマーを混合、固着等してなるものを用いることができる。図示形態の吸収体３は一層構造とされているが、下層吸収体とその上に積層された上層吸収体とからなる二層構造であっても良い。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体３におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００３０】
（液不透過性シート）
液不透過性シート１は、吸収体３の周囲より外側に延在しており、吸収体３に吸収された排泄物の裏面側への移動を遮断するものである。液不透過性シート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。液不透過性シート１の単位面積あたりの重量は１３〜４０ｇ／ｍ2であるのが好ましく、厚みは０．０１〜０．１ｍｍであるのが好ましい。
【００３１】
おむつ外面を布のような外観、肌触りとするために、液不透過性シート１の裏面全体は外装不織布シート１２で覆われており、両シート１，１２の外周縁はおむつの外周縁まで及んでいる。外装不織布シート１２としては各種の不織布を用いることができるが、スパンボンド不織布が好適である。
【００３２】
（トップシート）
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。透液性トップシート２に用いる不織布の繊維目付けは１５〜３０ｇ／ｍ2であるのが好ましく、厚みは０．０５〜１ｍｍであるのが好ましい。
【００３３】
トップシート２は、吸収体３の周囲より外側に延在しており、吸収体３側縁より外側に延在する部分が液不透過性シート１にホットメルト接着剤等により固着されている。なお、図中の点模様は固着部分を表しているものである。
【００３４】
（脚周り立体ギャザー）
図３〜図５にも示されるように、物品内面の両側部（図示形態ではトップシート２の側縁部表面からその側方に延在する液不透過性シート１の表面）には、脚周り立体ギャザー４を構成する脚周り立体ギャザーシート４ｓの幅方向外側の付根部分４ｘが前後方向全体にわたり貼り付けられている。脚周り立体ギャザーシート４ｓは、各種不織布（スパンボンド不織布が好適である）の他、液不透過性シートに用いられるものと同様のプラスチックフィルム、又はこれらの積層シートを用いることができるが、肌への感触性の点で、撥水処理を施した不織布が好適である。脚周り立体ギャザーシート４ｓの幅方向中央側の突出部分４ｃは、前後方向両端部では倒伏状態で物品内面（図示形態ではトップシート２表面）にホットメルト接着剤等の手段により固着され、倒伏部分とされているが、これらの間の中間部は非固定の自由部分となっており、この自由部分の先端部等（展開状態における幅方向中央側の端部）には、細長状弾性伸縮部材４Ｇが前後方向に沿って伸張した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立する脚周り立体ギャザーを構成する。この起立部分の基端４ｂは脚周り立体ギャザー４における幅方向外側の固定部分４ｘと内側の部分４ｃとの境に位置する。
【００３５】
使い捨ておむつの前後方向両端部では、液不透過性シート１、外装不織布シート１２、透液性トップシート２および脚周り立体ギャザーシート４ｓが吸収体３の前後端よりも前後両側にそれぞれ延在され、吸収体３の存在しないエンドフラップ部ＥＦが形成されている。一方、使い捨ておむつの左右両側部では、液不透過性シート１、外装不織布シート１２、透液性トップシート２および脚周り立体ギャザーシート４ｓが吸収体３の側縁よりも側方にそれぞれ延在され、吸収体３の存在しないサイドフラップ部ＳＦが形成されている。サイドフラップ部ＳＦのうち腹側部分Ｆのウエスト側部分及び背側部分Ｂのウエスト側部分にそれぞれ位置する部分は、それらの間の中間部分よりも側方に延出されており、これらの部分が、おむつの胴回り部分となり、中間部分が脚周り包囲部分ＬＨとなり、その両側縁が脚開口の縁Ｌｅとなる。
【００３６】
（平面ギャザー）
サイドフラップ部ＳＦの前後方向中間部には、液不透過性シート１と外装不織布シート１２との間に細長状弾性部材７が前後方向に沿って伸張状態でホットメルト接着剤等により固定されており、この細長状弾性部材７の収縮によりサイドフラップ部ＳＦにはいわゆる平面ギャザーが形成されている。この平面ギャザーにより、おむつの側部が弾性伸縮して脚周りにフィットするようになる。
【００３７】
左右各側における細長状弾性部材７の本数は適宜定めることができるが、１〜１０本程度、より好ましくは３〜８本程度が適当であり、複数本とする場合には、その間隔は２〜１５ｍｍ程度、特に６〜１０ｍｍ程度とするのが好ましい。また、各細長状弾性部材７としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各細長状弾性部材７の固定時の伸長率は１５０〜２５０％程度であるのが好ましい。
【００３８】
（ファスニングテープ）
背側部分Ｂのサイドフラップ部ＳＦには、その側縁からそれぞれ突出するファスニングテープ５が取り付けられるとともに、腹側部分Ｆの胴回り部表面に幅方向に沿ってターゲット部６が貼着されており、身体への装着に際しては、おむつ１００を身体にあてがった状態で、両側のファスニングテープ５を左右各側から腹側に回してターゲット部６に連結する。
【００３９】
図２及び図３に示されるように、ファスニングテープ５は、背側部分Ｂのウエスト側サイドフラップ部ＳＦにおけるシート間にホットメルト接着剤等の手段により固定された固定部５ｆと、サイドフラップ部ＳＦの側縁のシート間から幅方向外側に突出する突出部５ｅとを有しており、この突出部５ｅは先端部５ｐと、この先端部５ｐよりも基端側の本体部５ｂとを有している。ファスニングテープ５の先端部５ｐの内面側（トップシート２側）には、ターゲット部６との連結のための固定部として、表面にフック状突起を多数有するフック材（メカニカルファスナー（面ファスナー）の雄材）９，９がそれぞれ取り付けられている。
【００４０】
また、図２に示されるように、ファスニングテープ５には、上下方向中間部における幅方向外側縁から本体部５ｂ内まで幅方向に沿うミシン目１０が設けられており、このミシン目１０を切り離すことにより、図６に示すように各々が固定部、本体部、先端部及び固定部を備えた上段部５Ｗ及び下段部５Ｕに分離することができるものである。ミシン目１０に代えて、予め切断等により分離されていても良い。このようなファスニングテープ５は、図６に示すように、上段部５Ｗと下段部５Ｕとを交差させた状態で、腹側部分Ｆのターゲット部６に着脱自在に連結することができる。もちろん、このような上下２段分割タイプに限られず、図７に示すように、２段分割しないタイプ等、他の公知のファスニングテープに応用することもできる。
【００４１】
（ターゲット部）
ターゲット部６は、ファスニングテープ５の着脱を確実容易にするためのものであり、ファスニングテープ５の固定部がフック材９により形成されている場合には、フック状突起が着脱可能に掛止される表面を有するシート材、例えばメカニカルファスナー（面ファスナー）の雌材や不織布を用いることができ、フック材９ではなく粘着剤層を用いる場合には、その粘着性を十分に発揮させうる樹脂シートを用いたりすることができる。
【００４２】
ターゲット部６の形状は幅方向両側にわたり延在する限り特に限定されず、図示形態のように現在広く採用されている幅方向に長い長方形状のものの他、各辺を波状等に切断した略長方形状のもの、幅方向に長い楕円形状とすることもできる。ファスニングテープ５を縦方向に複数有する形態や、独立してターゲット部６に連結される突出部分を縦方向に複数有する形態等の場合、ターゲット部６を縦方向に複数設けることもできる。
【００４３】
ターゲット部６の寸法は特に限定されないが、腹側部分Ｆ外面に固定される幅方向中央部６Ｃは、製品幅Ｘ（ターゲット部６及びファスニングテープ５を除く部分。以下同じ。）の３０〜７０％程度とすることが望ましい。また、サイド部６Ｓは、展開した状態で製品幅Ｘの１０〜３０％程度とすることが望ましい。
【００４４】
ターゲット部６の寸法は特に限定されないが、腹側サイド部ＦＳを展開した状態で、展開状態の製品幅Ｘ２の６０〜９０％程度とすることが望ましい。また、腹側サイド部ＦＳの折り畳み状態の製品幅Ｘ１は、展開状態の製品幅Ｘ２の１０〜４０％程度とすることが望ましい。
【００４５】
＜複合体及びその固定形態＞
上記例におけるターゲット部６として、本発明においては、例えば図８〜図１０に示す複合体を使用することが特に望ましい。
実施の形態におけるターゲット部６は、図２に示すように、ターゲット部６の形成領域又はこのターゲット部の形成領域を含むより広い領域、例えば腹側部分から背側部分に亘る、より広い領域に配置される。
【００４６】
ターゲット部６は、不織布６０とパイル繊維糸６１によるループパイルとを有する複合体６２からなる。具体的には、不織布６０を下地としてパイル繊維糸６１を編み込み、少なくとも外面にパイルループ繊維糸６１ａを形成してある。
パイルは、パイル繊維糸６１によって、例えば径方向（横方向：図８〜図１０の横方向）に連続して編み物として編成されている。径方向と直交する方向を緯方向（縦方向：図８〜図１０の上下方向）と称する。
【００４７】
そして、図８及び図１０に示すように、不織布６０の外面、すなわち使い捨ておむつの外面側には、パイルループ繊維糸６１ａが緯径方向に間隔を置いて張り出して形成されている。
他方、不織布６０の裏面側（着用者側）には、パイル繊維糸６１相互が組み合わされ、パイル繊維糸のチェーンステッチ６１ｂが形成されている。
複合体６２は、ターゲット部６として、先に説明したように、腹側部分の外側を形成する外装不織布シート１２に、ホットメルト接着剤や熱融着などによって固定されている。
【００４８】
この場合、複合体６２は、その裏面側全体において、ホットメルト接着剤６４により外装不織布シート１２に固定されている形態とすることができる。
裏面側全体の固定によって、複合体６２と外装不織布シート１２との接合強度は大きいものとなる。
【００４９】
他方で、ホットメルト接着剤６４による外装不織布シート１２との固定領域は、例えば次のように部分的な固定領域とすることもできる。
（１）図１４に示すように、チェーンステッチ６１ｂの条に沿い、かつ隣接するチェーンステッチ６１ｂ，６１ｂ間は固定領域が存在しない形態。
（２）チェーンステッチ６１ｂに沿う領域のホットメルト接着剤量が多く、かつ隣接するチェーンステッチ６１ｂ，６１ｂ間の領域のホットメルト接着剤量が少ない形態。
部分的な固定領域とする形態においては、ホットメルト接着剤６４による固定領域又は塗布量が多い領域以外において通気性を示すので、ターゲット部の裏面側に位置する、通気性を示す外装不織布シート１２と相俟って、全体として通気性を示す製品を得ることができる。
また、チェーンステッチ６１ｂをホットメルト接着剤による固定領域としているから、チェーンステッチ６１ｂに位置する繊維糸が下地を構成する不織布６０からの抜け止めを図ることの利点も併せて得ることができる。
【００５０】
複合体６２の外装不織布シート１２への固定形態としてホットメルト接着剤によるほか、図１５に示すように、不織布６０下地の少なくとも裏面側に縫い出された繊維糸６１（実施の形態ではチェーンステッチ６１ｂ）が、外装不織布シート１２に熱融着状態で固定されている形態であってもよい。符号６５は熱融着部を示す。
この場合、熱融着部分を全体とするのは、剛性が高くなるので、チェーンステッチ６１ｂに沿う部分のみなどの部分的な固定（接合）形態とするのが望ましい。
【００５１】
また、既述のように、製造工程を考えた場合、図２２に示すように、下地不織布シート６０の外面側にティシュペーパー６７を積層できる。
【００５２】
複合体６２を形成する不織布の材料に関し必ずしも限定されないが、既に説明したものを使用できる。すなわち、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。
【００５３】
本発明においては、不織布の一方向に配向した繊維配向方向を有するものが対象となる。配向の例としては、拡大写真である図１２及び図１３の態様がある。
不織布の繊維目付けは１５〜３０ｇ／ｍ2であるのが好ましく、厚みは０．０５〜１ｍｍであるのが好ましい。通気性は繊維目付け及び密度に依存するのが適宜選定できる。
下地としての不織布は一枚であるのが好ましいが、必要により積層した不織布を使用することもできる。
【００５４】
またパイル繊維糸の編物としては、緯パイル織や、経パイル織などが挙げられ、その他に紗織や絽織などのからみ織物、ドビー織やジャガード織などの紋織物などを挙げることができる。
【００５５】
上記実施の形態例によって説明した本発明では、ターゲット部６として、不織布６０を下地とし少なくとも外面にパイルループ繊維糸を編み出した複合体６２を使用する。このターゲット部６は腹側部分の外側を形成する外装不織布シート１２に固定されているものである。
その結果、腹側部分の外側を形成する外装不織布シート１２と、不織布を下地として少なくとも外面にパイルループ繊維糸６１ａを編み出した複合体６２とは、全体として不織布様である点で共通するから、製品の購入者及び使用者にとって親和感を与え、製品全体に高級感を与えるものとなる。
【００５６】
また、パイル編みしたシートのみでターゲット部６を形成するのではなく、ターゲット部６は、不織布６０を下地とし少なくとも外面にパイルループ繊維糸を編み出した複合体６２であるから、不織布６０によるシート状下地が、裏面側に編み出された繊維の抜け止め用アンカーとなるので、ファスニングテープと係合させたときにおいて抜け止めが図られ、高い係合力を示すものとなる。
【００５７】
図８〜図１０の形態のターゲット部６を得るには、例えば図１６が参照される。図１６は、ターゲット部６のパイル複合体６２を、ラッシェル編み機で編成する際のガイドバーの駆動を部分的かつ概略的に示すポイントダイヤグラム（ｐｏｉｎｔ  ｄｉａｇｒａｍ）である。
【００５８】
この例は、特開２００２−２５３３０５において、図４として示され、その説明が[0001]〜[0002]において次のようになされている。
すなわち、「ここでは説明の都合上、グランドチェーンステッチを４列（４条）のチェーンステッチで部分的に示して従来のパイル生地編成の様子を説明する。図中に示すＡ〜Ｈのアルファベット文字は針床に装着される各編み針の列を示している。また、１〜８の数字は、編み目の段を示している。各ボビン（図示せず）から引き出された経糸は、ガイドバー（図示せず）によって各編み針に供給される。ガイドバーは、グランドチェーンステッチを形成する各編み針Ａ、Ｃ、Ｅ、Ｇにのみ経糸を供給するように運動するガイドバー（以下、第１ガイドバーとする。）と、パイルループを形成するように緯方向移動の運動をするガイドバー（以下、第２ガイドバーとする。）との２組に分けられる。
第１ガイドバーは、Ａ、Ｃ、Ｅ、Ｇの各編み針に経糸を供給し、その経糸はＡ、Ｃ、Ｅ、Ｇの各編み針によってチェーンステッチに編成される。第１ガイドバーは常に同じ針に経糸を供給する。
第２ガイドバーは、パイルループを形成するように運動し、Ａ、Ｃ、Ｅ、Ｇの各編み針とＢ、Ｄ、Ｆ、Ｈの各編み針との間を移動しながら、これらの針に糸を掛ける。例えば、第１段で針Ａに糸を巻き付けた後、その糸を第２段では針Ｄ（すなわち、針Ａが形成するチェーンステッチの隣のチェーンステッチを形成する針Ｃの一つ向こうの針Ｄ）の位置へ引っ張って行き、針Ｄに糸を巻き付ける。さらに第３段で再び針Ａの位置へ戻って針Ａに糸を巻き付ける。針Ａは第１ガイドバーで供給された糸でチェーンステッチを形成しているので、第２ガイドバーで針Ａに供給された糸はこのチェーンステッチに留め付けられる（第１段と第３段で）が、第２段で巻き付けられた針Ｄは、その位置にチェーンステッチを形成していないので、この糸は針Ｄが抜けたあと自由端となる。すなわち、第２ガイドバーによって針Ａ、針Ｄ、針Ａへ順に供給された糸は、第１段および第３段に両端が留め付けられたパイルループを形成する。第１段および第３段に両端が留め付けられてパイルループを形成した糸は、さらに第３段および第５段に両端が留め付けられたパイルループを形成し、経方向へ順に連続してパイルループを形成していく。
同様に、別の第２ガイドバーが、例えば第１段で針Ｃに糸を巻き付けた後、その糸を第２段で針Ｆの位置へ引っ張って行き、針Ｆに糸を巻き付ける。さらに第３段で再び針Ｃの位置へ戻って針Ｃに糸を巻き付け、そして針Ｆが糸から抜ける。こうして第２ガイドバーによって針Ｃ、針Ｆ、針Ｃへ順に供給された糸は、第１段および第３段に両端が留め付けられたパイルループを形成し、さらに第３段および第５段に両端が留め付けられたパイルループ、第５段および第７段に両端が留め付けられたパイルループというように、経方向へ順に連続してパイルループを形成していく。
同様のチェーンステッチが針Ａ、Ｃ、Ｅ、Ｇによって経方向へ連続して並行して形成され、且つそれぞれのチェーンステッチの同じ段の位置から同じ緯方向へパイルループが形成されて、平面状に展開したパイル生地が編成される。」
【００５９】
ここで、本発明の解決しようとする課題及び課題を解決するための手段について、やや詳しく説明する。
【００６０】
不織布には、その製造プロセスの関係で、一方向に繊維配向するのが一般的である。
この不織布について、例えば図１１に示すように、下地不織布シート外面において、緯方向に膨らむパイルループを構成する場合には、（メカニカル）面ファスナーのフックがパイルループと係合する。その後、例えば再結合のためにフック側を剥離しようとすると、その剥離力がパイルループを介して下地不織布シートに伝わり、下地不織布シートがその繊維配向方向である径方向に沿って破断するおそれがある。特に、緯方向へ剥離する場合において破断する可能性が高い。
【００６１】
これに対して、本発明においては、下地不織布６０の外面において、径方向に膨らむパイルループ６１ａを構成（形成）したものであるから、再結合のためにフック側を剥離しようとする剥離力がパイルループ６１ａを介して下地不織布６０に伝わるとき、すなわち、繊維配向方向である径方向（すなわち繊維配向方向と直交する方向）に剥離力が作用しても、剥離力の作用方向は繊維配向方向と直交する方向であるから、下地不織布６０は破断し難い又は破断しないものとなる。
【００６２】
図１１をもって説明した問題点は、本発明者が作成した試作品によっても明らかになった。すなわち、その試作品は図１２及び図１３に示すものである。
図１２及び図１３の写真から分かるように、不織布の繊維配向は左右方向（径方向）である。図１３に左右方向（径方向）に沿うチェーンステッチ６１ｂ、６１ｂ…が見て取れる。
この試作品においては、図１２に示されるように、パイルループ６１ａは、チェーンステッチ６１ｂ、６１ｂ間に跨るように形成してあるので、パイルループ６１ａの膨らみ方向が径方向か緯方向かが必ずしも明確ではないが、符号６１ａで示すパイルループは、緯方向に大きく膨らんでいることが分かる。
この試作品では、繰り返しの剥離によって、図１１をもって説明した問題点が顕在化することが判明した。
【００６３】
本発明において、パイルループは径方向（繊維配向方向）に膨らむ構成である限り、種々の形態を含むものである。
例えば、すべてのパイルループが径方向（繊維配向方向）に膨らむ構成である。
【００６４】
かかる形態に代えて、図１７に示すように、パイルループは径方向（繊維配向方向）に膨らむ構成であるものの、チェーンステッチ条６１ｂ、６１ｂの位置の左右に交互に膨らんで形成されているものでもよい。
この場合、図１７の下図に図示したように、パイルループ６１ａの膨らみが千鳥状配置となるので、フックとの係合頻度が高くなり、全体的にみた場合、ファスニングテープのフック側との係合強度が高まる傾向を示す。
【００６５】
図１７の形態を得るには、特許第５３８４８８８号に示された技術を適用すればよい。  すなわち、経糸、緯糸、及びループ糸から構成される編地、下地を含むものであり、経糸は、開き目と閉じ目を交互に繰り返す鎖編糸からなり、ループ糸は、ループ糸の開き目のみに経糸の閉じ目のみが係合して、経糸と固定されており、ループ糸は編地の一方の表面からのみ、経糸に対して左右交互に突出している形態を取ることができる。
【００６６】
具体的には、図１８及び図１９に示すように、経糸６１、緯糸６３、及びパイルループ繊維糸６１ａから構成される編地、並びに不織布下地シート６０を含む。編地において、パイルループ繊維糸６１ａが編地のパイルを形成し、経糸６１と緯糸６３が編地の地組織を形成しており、パイルループ繊維糸６１ａは、編地の一方の表面からのみ、経糸６１に対して左右交互に突出している。
【００６７】
図１８はこの編組織のパターンを模式的に示した図、図１９は図１８の編組織のパターンを、経糸６１、緯糸６３及びパイルループ繊維糸６１ａに分解して示した図である。図１８及び図１９に示されるように、編地において、経糸６１は、開き目と閉じ目を交互に繰り返す鎖編糸からなっており、また、パイルループ繊維糸６１ａは、パイルループ繊維糸６１ａの開き目のみに経糸６１の閉じ目のみが係合して、経糸６１と固定されている。緯糸６３は、経糸６１の開き目及び閉じ目で経糸６１に固定されている。このような編み組織を有することにより、パイルループ繊維糸６１ａは、編地の一方の表面からのみ、経糸６１に対して左右交互に突出する構造となる。
【００６８】
経糸６１は、１−０/０−１/０−１/１−０のパターンが繰り返された鎖編みにより形成され、このパターンの繰り返しにより、上述の通り、開き目と閉じ目とが交互に繰り返される鎖編糸を構成している。経糸６１は、編地の地組織２４（中筬）となる。
【００６９】
パイルループ繊維糸６１ａは、経糸６１に対して、左右に繰り出されることで編地のパイル（前筬）となる。すなわち、パイルループ繊維糸６１ａは、まず、編地の所定の針位置において左から右へ閉じ目又は開き目（図１８及び図１９においては閉じ目）によりラップされ右方向に繰り出される。そして、右に繰り出されたパイルループ繊維糸６１ａは開き目の状態で経糸６１の閉じ目に係合され、更に編地の右方向に繰り出される。次いで、編地の所定の針位置で右から左へ閉じ目又は開き目（図１８及び図１９においては閉じ目）によりラップされ左方向に繰り出される。そして、左に繰り出されたパイルループ繊維糸６１ａは開き目の状態で経糸６１の閉じ目に係合され、更に編地の左方向に繰り出される。この繰り返しにより、パイルループ繊維糸６１ａは、編地の一方の表面からのみ、経糸６１に対して左右交互に突出するようになり、パイルを形成する。
【００７０】
ここで、「ループ糸が編地の一方の表面からのみ、経糸に対して左右交互に突出している」とは、編地において、経糸６１方向と垂直方向の断面を見た際に、パイルループ繊維糸６１ａが地組織表面に対し、経糸部との係合部を起点として一定の角度を保って左右方向に交互に形成されていることを意味する。したがって、ループ糸が経糸に対して左右に形成されているものの、ループ糸が地組織表面に対してほぼ平行方向に形成されている（ループ糸が寝ている状態）ものは含まれない。
【００７１】
パイルループ繊維糸６１ａのパターンとしては、例えば、１−０/３−４/６−７/４−３（図１８に示される態様、左右端が閉じ目の場合）、０−１/３−４/７−６/４−３（左右端が開き目の場合）、１−０/４−５/８−９/５−４（左右端が閉じ目の場合）、０−１/４−５/９−８/５−４（左右端が開き目の場合）の繰り返しで表すことができる。
【００７２】
緯糸６３は、経糸６１と共に、編地の地組織（後筬）を形成している。緯糸６３は、経糸６１の鎖編に、例えばパターンが０−０/３−３（図１８に示される態様）又は０−０/４−４のステッチで、挿入されており、緯糸６３の左右方向が変わる部分で、経糸６１の開き目及び閉じ目と係合している。
【００７３】
他の編み組織の形態例は、特許第３３５７５０５号が参照される。これについての説明を省略する。
もちろん、本発明において、当業者が知っている他の公知の編み組織の形態例も使用できる。
【００７４】
他方、図２１に示す例では、パイルループ繊維糸６１ａの連結位置がＡ、Ｂと径方向に異なっているので、下地不織布シート６０に対する剥離力が緯方向に沿っていないので、破断がし難い利点がある。
【００７５】
図２２は、先に説明したように、  前記下地シートは、外面側がティシュペーパーであり、裏面側が不織布シートである複合体により構成した例である。
しかし、外面側がティシュペーパー５７であると、ティシュペーパー５７が製造過程や使用段階で他の物又は手によって擦れて部分的な破れや剥がれが生じる懸念がある。
そこで、図２３に示すように、第１の不織布６０Ａと第２の不織布６０Ｂとの間にティシュペーパー６７を介装した形態を提案できる。この形態においては、第２の不織布６０Ｂがティシュペーパー６７を被覆しているので、前記問題は生じないとともに、第２の不織布６０Ｂが外装シート１２と不織布として同じであるので、違和感を与えず、柔軟なシートであり、親和感を与えるものとなる。また、ティシュペーパー６７の存在が通気性を低下させる結果、バキュームをきかせながら外装不織布シートに貼り付ける形態を取り易い利点が維持される。
【００７６】
この種の形態において、必要ならば不織布及び又はティシュペーパーの積層数を適宜選択できる。
【産業上の利用可能性】
【００７７】
本発明は、上記例のようにテープタイプ使い捨ておむつに利用できるものである。
【符号の説明】
【００７８】
１…液不透過性シート、２…トップシート、３…吸収体、４…脚周り立体ギャザー、４ｆ…自由部分、４ｅ…倒伏部分、５…ファスニングテープ、６…ターゲット部、９…フック材、１０…ミシン目、１２…外装不織布シート、Ｆ…腹側部分、Ｂ…背側部分、６０…不織布、６１…パイル繊維糸、６１ａ…パイルループ繊維糸、６１ｂ…チェーンステッチ、６２…複合体。
【図１】
2018143580.tif 000003
【図２】
2018143580.tif 000004
【図３】
2018143580.tif 000005
【図４】
2018143580.tif 000006
【図５】
2018143580.tif 000007
【図６】
2018143580.tif 000008
【図７】
2018143580.tif 000009
【図８】
2018143580.tif 000010
【図９】
2018143580.tif 000011
【図１０】
2018143580.tif 000012
【図１１】
2018143580.tif 000013
【図１２】
2018143580.tif 000014
【図１３】
2018143580.tif 000015
【図１４】
2018143580.tif 000016
【図１５】
2018143580.tif 000017
【図１６】
2018143580.tif 000018
【図１７】
2018143580.tif 000019
【図１８】
2018143580.tif 000020
【図１９】
2018143580.tif 000021
【図２０】
2018143580.tif 000022
【図２１】
2018143580.tif 000023
【図２２】
2018143580.tif 000024
【図２３】
2018143580.tif 000025